(57)【要約】【課題】オートクレーブを始めとする主要な消毒滅菌処理に耐え得る内視鏡の可撓管を提供する。【解決手段】内視鏡の可撓管３２は、帯状部材を螺旋状に巻いて一定の径に成形した螺旋管４２と、この螺旋管４２の外周に、細線を編組して環状に成形した網状管４４と、この網状管４４の外周に被覆された外皮４６とを備えている。そして、前記網状管４４は、オレフィン系樹脂材で形成されている。【選択図】図２
2006334287.tif 000002
【特許請求の範囲】
【請求項１】
帯状部材を螺旋状に巻いて一定の径に成形した螺旋管と、
この螺旋管の外周に、細線を編組して環状に成形した網状管と、
この網状管の外周に被覆された外皮部材と
を具備する内視鏡の可撓管において、
前記網状管は、熱可塑性樹脂材で形成されていることを特徴とする内視鏡の可撓管。
【請求項２】
前記螺旋管は、熱可塑性樹脂材で形成されていることを特徴とする請求項１に記載の内視鏡の可撓管。
【請求項３】
前記網状管は、ノズル溝を有する少なくとも１対のダイを有するダイス部と、前記ダイス部を駆動する駆動部と、この駆動部を介して前記ダイス部の前記ノズル溝に溶融樹脂を供給する押出部とを有する樹脂ネット押出装置により形成されていることを特徴とする請求項１に記載の内視鏡の可撓管。
【請求項４】
前記網状管は、前記ダイス部に、芯金に前記螺旋管が被嵌された中作り部品が配設されて形成されることを特徴とする請求項３に記載の内視鏡の可撓管。
【請求項５】
帯状部材を螺旋状に巻いて一定の径に成形した螺旋管と、
この螺旋管の外周に、細線を編組して環状に成形した網状管と、
この網状管の外周に被覆された外皮部材と
を具備する内視鏡の可撓管において、
前記螺旋管は、熱可塑性樹脂材で形成されていることを特徴とする内視鏡の可撓管。
【発明の詳細な説明】
【技術分野】
【０００１】
この発明は、例えば体腔内など、被検体に挿入される挿入部などに使用される内視鏡の可撓管に関する。
【背景技術】
【０００２】
例えば医療用内視鏡は、挿入部を体腔内に挿入して臓器などを観察したり、内視鏡の処置具挿通チャンネル内に挿入した処置具を用いて各種治療や処置を行なう。このため、一度使用した内視鏡を他の患者に再使用する場合、内視鏡を介しての患者間感染を防止するため、検査・処置終了後に内視鏡の消毒・滅菌を行なう必要がある。
【０００３】
消毒や滅菌には、消毒液、エチレンオキサイドガス、ホルマリンガス、過酸化水素ガスプラズマ、オゾン、高温高圧の水蒸気を使用する滅菌であるオートクレーブなどを使用する方法がある。
【０００４】
これまで、内視鏡の滅菌にはエチレンオキサイドガスが世界的に広く使用されている。しかし、エチレンオキサイド（酸化エチレン）が有毒物質であることから各国で規制が強まり、この使用は減少しつつある。また、消毒液は現在グルタラール製剤が主に用いられているが、これには、刺激性、残留毒性、取り扱いの難しさなどの問題がある。
【０００５】
このような状況を背景にして、近年、エチレンオキサイドガスやグルタラール製剤に代わる新しい薬剤である過酢酸系薬剤、過酸化水素系薬剤等や、その他の新しい消毒滅菌方法が開発されてきている。しかしながら、その多くがこれまで以上に消毒滅菌される機器に大きなダメージを与えるおそれがあるという問題をかかえている。
【０００６】
また、高温高圧蒸気で内視鏡を滅菌するオートクレーブは従来より世界的に広く普及している消毒滅菌方法である。この方法は、滅菌効果の信頼性が高く、残留毒性がなく、ランニングコストが安い等の多くのメリットを有するが、医療機器に与えるダメージが非常に大きいという問題がある。
【０００７】
内視鏡の可撓部である挿入部やユニバーサルコードの外皮は、一般にポリウレタン樹脂やポリエステル樹脂といった樹脂からなり、最外層には耐薬性のコーティング層が設けられている。このコーティング層は、一般にウレタン樹脂で形成されている。このように、コーティング層がウレタン樹脂で形成された挿入部やユニバーサルコードを有する内視鏡では、過酢酸系薬剤、過酸化水素系薬剤等の薬剤で消毒を行なうと、コーティング層やその下層の樹脂層が劣化するという問題がある。
【０００８】
そこで、この問題を解決するものとして、例えば特許文献１では、コーティング剤を塗布・硬化してなるコーティング層が提案されている。これは、コーティング層を形成するコーティング液に、コーティング層自体を形成するコーティング剤と、可撓管の外皮の基部を溶解可能な成分とを含有させている。そして、基部の所望の部分にコーティング液を塗布して硬化させてコーティング層が形成されている。
【０００９】
また、特許文献２では、熱可塑性フッ素系エラストマーのコーティング層が提案されている。このため、挿入部やユニバーサルコードは、過酸化物系滅菌処理に対する耐性が高められている。
【特許文献１】特開平１１−５６７６１号公報
【特許文献２】特開平１１−５６７６２号公報
【発明の開示】
【発明が解決しようとする課題】
【００１０】
しかしながら、特許文献１や特許文献２で開示されたコーティング層では、いずれもオートクレーブを始めとする主要な消毒滅菌処理により大きなダメージが与えられるおそれがある。このため、主要な消毒滅菌処理に耐え得る内視鏡の可撓管が求められている。
【００１１】
本発明は、上記事情に鑑みてなされたものであり、その目的とするところは、オートクレーブを始めとする主要な消毒滅菌処理に耐え得る内視鏡の可撓管を提供することにある。
【課題を解決するための手段】
【００１２】
上記課題を解決するために、この発明に係る内視鏡の可撓管は、帯状部材を螺旋状に巻いて一定の径に成形した螺旋管と、この螺旋管の外周に、細線を編組して環状に成形した網状管と、この網状管の外周に被覆された外皮部材とを備えている。そして、前記網状管は、熱可塑性樹脂材で形成されていることを特徴とする。
【００１３】
例えばポリプロピレン等のオレフィン系などの熱可塑性樹脂材の樹脂ネットである網状管は、耐湿熱性・耐薬品性・耐オートクレーブ性を有するのでアタックを少なくすることができる。したがって、可撓管を、長期にわたって安定した状態に保つことができる。
【００１４】
網状管をステンレス鋼線を編組して形成した場合、外皮を熱可塑性樹脂材（熱可塑性エラストマー）で形成すると、網状管と外皮とが異なる素材で形成されているので、網状管と外皮との接着・密着性が劣る。熱可塑性エラストマーの外皮と、ステンレス鋼線による網状管とを用いた状態でオートクレーブを始めとする主要な消毒滅菌処理を繰り返し行なうと、ステンレス鋼線等の細線に酸化や錆が発生して劣化する。網状管を、外皮と同様に熱可塑性エラストマーであるプラスチックネットで形成して外皮と溶着した。このため、網状管と外皮との間の密着性を向上させることができるとともに、耐水性、ガスバリア性、耐熱性、耐薬品性を向上させることができる。したがって、挿入部やユニバーサルコードは、オートクレーブを始めとする主要な消毒滅菌処理に対して耐えることが可能である。すなわち、挿入部やユニバーサルコードの耐性を向上させることができる。
【００１５】
そして、網状管をステンレス鋼線を編組して形成した場合、長期の苛酷な環境下での使用により網状管にほつれが生じたり、耐湿熱性・耐薬品性・耐オートクレーブ性によるアタックで切断されることがあるが、熱可塑性エラストマーの樹脂ネットは均一な糸径で耐湿熱性・耐薬品性・耐オートクレーブ性によるアタックを少なくすることができる。
【００１６】
また、好ましくは、前記螺旋管は、熱可塑性樹脂材で形成されている。
【００１７】
このため、可撓管の少なくとも網状管と螺旋管とを、耐水性、ガスバリア性、耐熱性、耐薬品性を向上させ、オートクレーブを始めとする主要な消毒滅菌処理に繰り返し耐えることが可能である。さらに、外皮部材を熱可塑性樹脂材のうちオレフィン系樹脂材で形成すると、さらに耐水性、ガスバリア性、耐熱性、耐薬品性を向上させ、オートクレーブを始めとする主要な消毒滅菌処理に繰り返し耐えることが可能である。
【００１８】
また、好ましくは、前記網状管は、ノズル溝を有する少なくとも１対のダイを有するダイス部と、前記ダイス部を駆動する駆動部と、この駆動部を介して前記ダイス部の前記ノズル溝に溶融樹脂を供給する押出部とを有する樹脂ネット押出装置により形成されている。
【００１９】
円形ダイ法やフラットダイ法により、１対のダイを互いに対して相対的に移動させると、網糸同士が融着されて所定の間隔ごとに節が形成されるので、容易に網目が形成され、すなわち網状管が容易に形成される。
【００２０】
また、好ましくは、前記網状管は、前記ダイス部に、芯金に前記螺旋管が被嵌された中作り部品が配設されて形成される。
【００２１】
このため、網状管を形成すると同時に、中作り部品の外側に配設することができるので、可撓管を容易に製造することができる。
【００２２】
また、上記課題を解決するために、この発明に係る内視鏡の可撓管は、帯状部材を螺旋状に巻いて一定の径に成形した螺旋管と、この螺旋管の外周に、細線を編組して環状に成形した網状管と、この網状管の外周に被覆された外皮部材とを備えている。そして、前記螺旋管は、熱可塑性樹脂材で形成されている。
【００２３】
このため、螺旋管の耐水性、ガスバリア性、耐熱性、耐薬品性を向上させ、可撓管の潰れに対する強度を長く維持することができる。
【発明の効果】
【００２４】
本発明によれば、オートクレーブを始めとする主要な消毒滅菌処理に耐え得る内視鏡の可撓管を提供することができる。
【発明を実施するための最良の形態】
【００２５】
以下、図面を参照しながらこの発明を実施するための最良の形態について説明する。ここでは、一実施の形態について図１ないし図４を用いて説明する。
【００２６】
図１に示すように、この実施の形態に係る内視鏡１０は、把持部を兼ねる操作部１２と、観察対象に挿入するための挿入部１４と、外部機器と接続するためのユニバーサルコード１６とから主に構成されている。
【００２７】
この操作部１２には、挿入部１４およびユニバーサルコード１６が連設されている。この操作部１２は、操作部本体２２を備えている。この操作部本体２２には、後述する湾曲部３４を湾曲操作する湾曲操作ノブ２４や、挿入部１４の先端から送気や送水を行なったり、吸引を行なったりするボタン２６などが配設されている。
【００２８】
ユニバーサルコード１６の延出端部には、図示しない光源装置や、カメラコントロールユニットなどに接続されるコネクタ１６ａが配設されている。
【００２９】
挿入部１４には、操作部１２の側から順に、可撓性を有する可撓管３２、湾曲自在な湾曲部３４、この湾曲部３４の先端に配置された先端構成部３６が連設されている。
【００３０】
湾曲部３４は、操作部１２の湾曲操作ノブ２４によって、所望の向きに湾曲するように遠隔的に操作される。
【００３１】
次に、図２を参照しながら、可撓管３２および湾曲部３４の構造について説明する。
【００３２】
可撓管３２は、螺旋管４２と、この螺旋管４２の外周に配設された網状管４４と、この網状管４４の外周に配設された可撓性を有する外皮４６とで構成されている。言い換えると、この可撓管３２は、潰れに対する強度を確保するために、螺旋管４２の外周に伸縮および捩じりに対する強度を確保する網状管４４を被覆して、さらに、その網状管４４の外周に外皮４６を被覆して形成されている。
【００３３】
外皮４６は、耐薬品性や患者の体壁に対する滑り性に優れた素材で薄く形成されている。外皮４６は、ポリプロピレン樹脂やエチレン・ポリプロピレン共重合樹脂等のオレフィン系エラストマー（熱可塑性樹脂材）で形成されている。
【００３４】
網状管４４は、外皮４６と同様に、ポリプロピレン樹脂やエチレン・ポリプロピレン共重合樹脂等のオレフィン系エラストマーなど、熱可塑性樹脂材の細線が編組されたプラスチックネットで円筒状（環状）に形成されている。
【００３５】
螺旋管４２は、弾性を有するステンレス鋼材や樹脂材の帯状部材が一定の径で螺旋状に巻かれることによって形成されている。
【００３６】
一方、湾曲部３４は、複数の略リング状の湾曲駒５２が直列的に連接された外周に、網状管５４が配設され、さらにその網状管５４の外周に柔軟な外皮５６が配設されている。これら網状管５４および外皮５６も、可撓管３２の網状管４４および外皮４６と同様に、オレフィン系エラストマーで形成されている。
【００３７】
可撓管３２と湾曲部３４とは、湾曲部３４の最後端の湾曲駒５２および網状管５４と、可撓管３２の螺旋管４２および網状管４４の先端とを接続する接続口金５８を介して接続されている。可撓管３２の外皮４６と湾曲部３４の外皮５６との連結部で、接続口金５８の外周には、各端縁が突き当てられているとともに、可撓管３２の外皮４６と湾曲部３４の外皮５６との両端部の外周にわたって糸が密に巻きつけられて糸巻部６０が形成されている。糸巻部６０は、外側から接着剤が塗布されて気密的に固められている。
【００３８】
以下、可撓管３２の製造方法について説明する。
【００３９】
図３に示すように、網状管４４として使用する、ポリプロピレン等のオレフィン系エラストマーのプラスチックネット６６は、押し出し成形により形成されている。この押し出し成形法は、例えば、円形ダイ法（図４参照）とフラットダイ法（図示せず）との２つある。
【００４０】
フラットダイ法は、上下に組み合わせられたフラットダイが交互に左右に移動するものと、一方のみが左右に移動するものがある。いずれのダイの摺動面にも半円形のノズル溝が開いた状態に形成されている。ノズル溝から押し出された樹脂は、移動するダイによってネット状に成形される。このとき、網状管４４の形状は、例えばみかんなどの包装に使われるオレンジ色のネット状に成形される。
【００４１】
一方、円形ダイ法は、互いに反対方向に回転する円形ダイを用いるものと、一方が静止し、他方が回転する円形ダイを用いるものがある。いずれのダイの摺動面にも半円形のノズルが開いた状態に形成されている。ノズルから押し出された樹脂は、回転するダイによってフラットダイ法と同様にネット状に成形される。
【００４２】
このようなプラスチックネット６６を螺旋管４２の外周に被覆した網状管４４は、優れた耐水性、耐熱性、耐薬品性を有するので、オートクレーブを始めとする主要な消毒滅菌処理で内視鏡１０の網状管４４の細線が劣化することが防止される。
【００４３】
このプラスチックネット６６による網状管４４と、外皮４６とは、同じポリオレフィン系エラストマーにより形成されているので、互いに対して溶着されて完全に密着される。なお、湾曲部３４の網状管５４と外皮５６とも同様である。
【００４４】
ところで、この実施の形態では、プラスチックネット６６を、互いに対して相対的に回転する円形ダイ法によって説明する。
【００４５】
図３に示すように、プラスチックネット６６を押し出し成形するための樹脂ネット押出装置７０は、ダイス部７２と、このダイス部７２を回転駆動させる駆動部７４と、駆動部７４を介してダイス部７２に溶融樹脂を供給する押出部７６とから構成されている。
【００４６】
図４に示すように、ダイス部７２は、外筒８２と内筒８４とからなる二重の筒状に形成されている。外筒８２と内筒８４とは、駆動部７４により互いに逆方向に摺接しながら同軸位置で円周方向に回転駆動される。なお、外筒８２と内筒８４とは互いに相対的に回転すれば良いので、外筒８２と内筒８４とのどちらか一方を固定し、他方を回転駆動するようにしてもよい。
【００４７】
互いに摺接する外筒８２の内周表面と内筒８４の外周表面とには、それぞれ軸方向に平行に延びる断面半円形のノズル溝８２ａ，８４ａが形成されている。溶融樹脂は、これらノズル溝８２ａ，８４ａを通してダイス部７２の先端から押し出される。
【００４８】
すなわち、外筒８２のノズル溝８２ａと内筒８４のノズル溝８４ａとが互いに連通した場合、両方のノズル溝８２ａ，８４ａから吐出された溶融樹脂は、互いに溶着して断面略円形の節を形成する。外筒８２のノズル溝８２ａと内筒８４のノズル溝８４ａとが互いに連通しない場合、それぞれのノズル溝８２ａ，８４ａから吐出された溶融樹脂は網糸となる。
【００４９】
ダイス部７２の外筒８２と内筒８４とが相対的に反対方向に回転するので、ノズル溝８２ａ，８４ａから押し出される糸状の樹脂は、互いに対して斜めに交差して菱形の網目が形成される。このとき、糸状の樹脂同士は、ノズル溝８２ａ，８４ａ同士が互いに連通した状態で、押出熱による融着により、互いに対して取着される。このため、上述したように、断面が略円形の節が順次形成される。なお、この網糸は半円形に形成されているので、網の融着面を広く取ることができる。
【００５０】
ダイス部７２は、外筒８２と内筒８４との相対的な回転により、ノズル溝８２ａ，８４ａが連通される状態と、連通されない状態とが繰り返し生じて、糸状の樹脂によって網目が形成される。
【００５１】
このようにして、樹脂ネット（プラスチックネット）６６が形成される。この樹脂ネット６６は、長手方向に引っ張ると細くなり、内側に例えばみかんなどのような物体を入れると外側に拡げられる。
【００５２】
なお、樹脂ネット６６は、外筒８２と内筒８４との回転速度と回転パターン、ノズル溝８２ａ，８４ａのピッチおよび配置などによって種々の形状の網目を形成することができる。
【００５３】
このような樹脂ネット６６（網状管４４）を形成可能な樹脂ネット押出装置７０に、芯金９０の外周に螺旋管４２を被嵌した状態の中作り部品を図３中の左側から右側にダイス部７２の内部を通して移動させる。そうすると、ダイス部７２から押し出された樹脂ネット６６である網状管４４は、螺旋管４２の外周表面に被覆される。
【００５４】
芯金９０に螺旋管４２を被嵌した状態の中作り部品を左から右に移動させる速度を変化させると、螺旋管４２に被覆される樹脂ネットである網状管４４の螺旋管４２に対する密着度は、自在に変更される。また、ダイス部７２から押し出される樹脂材の押し出し速度を変化させても、樹脂ネットである網状管４４の螺旋管４２に対する密着度は、自在に変更される。
【００５５】
さらに、芯金９０の外周に螺旋管４２と、この螺旋管４２の外周に網状管４４とが配設された部材の外周に、外皮４６を押出成形により被覆して成形する。そうすると、可撓管３２が形成される。
【００５６】
なお、この実施の形態では、内視鏡１０の挿入部１４の可撓管３２について説明したが、ユニバーサルコード１６も同様に可撓管により形成されている。
【００５７】
以上説明したように、この実施の形態によれば、以下のことがいえる。
【００５８】
網状管をステンレス鋼線を編組して形成した場合、外皮をオレフィン系の熱可塑性エラストマーで形成すると、網状管と外皮とが異なる素材で形成されているので、網状管と外皮との接着・密着性が劣る。オレフィン系の熱可塑性エラストマーの外皮と、ステンレス鋼線による網状管とを用いた状態でオートクレーブを始めとする主要な消毒滅菌処理を繰り返し行なうと、ステンレス鋼線等の細線に酸化や錆が発生して劣化する。網状管４４を、外皮４６と同様にオレフィン系熱可塑性エラストマーであるプラスチックネット６６で形成して外皮４６と溶着した。このため、網状管４４と外皮４６との間の密着性を向上させることができるとともに、耐水性、ガスバリア性、耐熱性、耐薬品性を向上させることができる。したがって、挿入部１４やユニバーサルコード１６は、オートクレーブを始めとする主要な消毒滅菌処理に対して耐えることが可能である。すなわち、挿入部１４やユニバーサルコード１６の耐性を向上させることができる。
【００５９】
なお、この実施の形態では、網状管４４と外皮４６とがオレフィン系エラストマーで形成されることについて説明したが、外皮４６のみをオレフィン系エラストマーで形成しても良い。
【００６０】
すなわち、少なくとも可撓性を有する挿入部１４やユニバーサルコード１６の外皮を、加水分解し易いポリウレタン樹脂やポリエステル樹脂といった樹脂やそれらのコーティング層でなく、オレフィン系の熱可塑性エラストマーで形成した。このため、挿入部１４やユニバーサルコード１６の耐水性、ガスバリア性、耐熱性、耐薬品性を向上させることができる。したがって、挿入部１４やユニバーサルコード１６は、オートクレーブを始めとする主要な消毒滅菌処理に対して耐えることが可能である。
【００６１】
なお、この実施の形態では、網状管４４と外皮４６とがオレフィン系エラストマーで形成されることについて説明したが、網状管４４のみをオレフィン系エラストマーで形成しても良い。
【００６２】
ステンレス鋼線による網状管を使用した場合、長期の過酷な環境下の使用で網状管が解れたり、耐湿熱性・耐薬品性・耐オートクレーブ性でのアタックで切断されたりする。一方、この実施の形態に係る、ポリプロピレン等のオレフィン系の樹脂ネット６６である網状管４４は、均一な糸径で耐湿熱性・耐薬品性・耐オートクレーブ性を有し、アタックを少なくすることができる。したがって、可撓管３２を、長期にわたって安定した状態に保つことができる。
【００６３】
また、螺旋管４２をポリプロピレン等のオレフィン系樹脂材で形成した場合、螺旋管４２の耐水性、ガスバリア性、耐熱性、耐薬品性を向上させることができる。したがって、可撓管３２の潰れに対する強度を長く維持することができる。
【００６４】
なお、この実施の形態に係る内視鏡１０の可撓管３２は、例えば医療用内視鏡や、工業用内視鏡など、可撓管を有する種々の内視鏡に適宜に使用される。
【００６５】
これまで、一実施の形態について図面を参照しながら具体的に説明したが、この発明は、上述した実施の形態に限定されるものではなく、その要旨を逸脱しない範囲で行なわれるすべての実施を含む。
【００６６】
上記説明によれば、下記の事項の発明が得られる。また、各項の組み合わせも可能である。
【００６７】
［付記］
（付記項１）
帯状部材を一定の径で螺旋状に巻いて形成した螺旋管の外周に、細線を編組して環状に形成した網状管を被覆し、さらにその外周を外皮部材によって被覆して形成された内視鏡の可撓管において、上記網状管を、ポリプロピレン等のオレフィン系の樹脂でネット状に形成したことを特徴とする内視鏡の可撓管。
【００６８】
（付記項２）
付記項１において、ネット状に構成された網状管は樹脂ネット押出装置により形成されることを特徴とする内視鏡の可撓管。
【００６９】
（付記項３）
付記項２において、芯金に螺旋管を被嵌した中作り部品を前記樹脂ネット押出装置に設置することにより螺旋管外表面に樹脂ネットが構成されるようにしたことを特徴とする内視鏡の可撓管。
【００７０】
（付記項４）
帯状部材を一定の径で螺旋状に巻いて形成した螺旋管の外周に、細線を編組して環状に形成した網状管を被覆し、さらにその外周を外皮部材によって被覆して形成された内視鏡の可撓管において、上記螺旋管を、ポリプロピレン等のオレフィン系の樹脂でプラスチックネットからなる帯状部材によって形成したことを特徴とする内視鏡の可撓管。
【００７１】
（付記項５）
帯状部材を一定の径で螺旋状に巻いて形成した螺旋管の外周に、細線を編組して環状に形成した網状管を被覆し、さらにその外周を外皮部材によって被覆して形成された内視鏡の可撓管において、上記網状管を、プラスチックネットによって形成すると共に、上記螺旋管を、プラスチックネットからなる帯状部材によって形成したことを特徴とする内視鏡の可撓管。
【００７２】
（付記項６）
把持部を兼ねる操作部と、
前記操作部から延出され、湾曲部と可撓管とを有する細長い挿入部と
を具備する内視鏡であって、
前記可撓管は、
帯状部材を螺旋状に巻いて一定の径に成形した螺旋管と、
この螺旋管の外周に、細線を編組して環状に成形した網状管と、
この網状管の外周に被覆された外皮部材と
を具備し、
前記網状管は、オレフィン系樹脂材で形成されていることを特徴とする内視鏡。
【００７３】
（付記項７）
把持部を兼ねる操作部と、
前記操作部から延出され、湾曲部と可撓管とを有する細長い挿入部と
を具備する内視鏡であって、
前記可撓管は、
帯状部材を螺旋状に巻いて一定の径に成形した螺旋管と、
この螺旋管の外周に、細線を編組して環状に成形した網状管と、
この網状管の外周に被覆された外皮部材と
を具備し、
前記外皮部材は、オレフィン系樹脂材で形成されていることを特徴とする内視鏡。
【００７４】
（付記項８）
把持部を兼ねる操作部と、
前記操作部から延出され、湾曲部と可撓管とを有する細長い挿入部と
を具備する内視鏡であって、
前記可撓管は、
帯状部材を螺旋状に巻いて一定の径に成形した螺旋管と、
この螺旋管の外周に、細線を編組して環状に成形した網状管と、
この網状管の外周に被覆された外皮部材と
を具備し、
前記螺旋管は、オレフィン系樹脂材で形成されていることを特徴とする内視鏡。
【００７５】
（付記項９）
把持部を兼ねる操作部と、
前記操作部から延出され、湾曲部と可撓管とを有する細長い挿入部と
を具備する内視鏡であって、
前記可撓管は、
帯状部材を螺旋状に巻いて一定の径に成形した螺旋管と、
この螺旋管の外周に、細線を編組して環状に成形した網状管と、
この網状管の外周に被覆された外皮部材と
を具備し、
前記螺旋管、網状管および外皮部材は、耐滅菌消毒処理性を有するプラスチック材で形成されていることを特徴とする内視鏡。
【図面の簡単な説明】
【００７６】
【図１】本発明の一実施の形態に係る内視鏡の全体構成を示す概略的な斜視図。
【図２】本発明の一実施の形態に係る内視鏡の挿入部の可撓管および湾曲部の概略的な断面図。
【図３】本発明の一実施の形態に係る内視鏡の挿入部の可撓管の内部の網状管を形成するための樹脂ネット装置を示す概略図。
【図４】本発明の一実施の形態に係る内視鏡の挿入部の可撓管の内部の網状管を形成するための樹脂ネット装置のダイス部を示す概略図。
【符号の説明】
【００７７】
３２…可撓管、３４…湾曲部、４２…螺旋管、４４…網状管、４６…外皮、５２…湾曲駒、５４…網状管、５６…外皮、５８…接続口金、６０…糸巻部
【図１】
2006334287.tif 000003
【図２】
2006334287.tif 000004
【図３】
2006334287.tif 000005
【図４】
2006334287.tif 000006